【事件の表示】
　特許第２８７７９０５号「遊技機」の特許に対する特許異議の申立てについて、次のとおり決定する。
【結　論】
　特許第２８７７９０５号の特許を維持する。
【理　由】
（１）本件発明
　本件特許第２８７７９０５号（平成２年６月２６日出願、平成１１年１月２２日設定登録）の請求項１に係る発明は、特許明細書の特許請求の範囲の請求項１に記載された事項により特定されるとおりのものと認められる。
（２）申立ての理由の概要
　申立人は、甲第１号証（特開昭６４ー５６０７８号公報）、甲第２号証（特開昭６３ー２５７５８９号公報）、甲第３号証（特開昭６１ー２５９６８５号公報）を引用し、請求項１に係る発明は、各甲号証に記載された発明に基いて当業者が容易に発明をすることができたものであるから特許法第２９条第２項の規定に違反して特許されたものであり、その特許は、取り消されるべきである旨主張している。
（３）申立人が引用した各甲号証に記載された発明
　甲第１号証には、
特に、
「打球が特定入賞口１１，１２中に入賞すると、それが特定入賞装置１１，１２中に設置された特定入賞検出器１１ａ，１２ａに検出され、その検出信号に基づいて、変動入賞装置５の左右の可動部材５３，５３が、図示省略のソレノイドの作動により、１回又は２回回動され」（第４頁左上欄第５ないし１１行）及び「打球が選択入賞口５６中に入賞すると、それが選択入賞口５６中に設置された選択入賞検出器５６ａに検出され、その検出信号に基づいて可変表示部５５ａの循環点滅表示が停止される。その停止されたときに点灯している可変表示部５５ａの数字表示によって、通常の遊技態様をそのまま維持（特別遊技態様発生させない）されるか、或いは複数種類、この実施例では、以下に述べる２種類の特別遊技態様のうちいずれかが開始され」（第４頁右上欄第７ないし１６行）の記載から、
　コンピュータシステム２００は、特定入賞検出器１１ａ，１２ａによる入賞球の検出を条件にして、あるいは、特別遊技態様の発生を条件にして、変動入賞装置５の第２状態への変換制御を行うものと認められること、
からみて、
「遊技者にとって不利な第１状態と遊技者にとって有利な第２状態とに変換可能な変動入賞装置５と、
　遊技領域２に設けられた特定入賞口１１，１２への入賞球を検出する特定入賞検出器１１ａ，１２ａと、
　上記特定入賞検出器１１ａ，１２ａによる入賞球の検出あるいは下記特別遊技態様の発生を条件に、上記変動入賞装置５の第２状態への変換制御を行うコンピュータシステム２００と、
　複数の識別情報を可変表示可能な可変表示装置５５と、
　上記変動入賞装置５内の入賞空間５２内に設けられた選択入賞口５６への入賞球を検出する選択入賞検出器５６ａと、
　上記選択入賞検出器５６ａによる入賞球の検出に基づき上記可変表示装置５５の可変表示が開始され、所定の可変表示停止条件に基づき停止表示した特別識別情報に基づき、遊技者にとって通常遊技状態より有利な特別遊技態様を発生する特別遊技態様発生手段と、
　を備えた遊技機において、
　上記コンピュータシステム２００は、上記変動入賞装置５の第２状態への変換に係わる０．８秒の開成時間の回数を変更するコンピュータシステム２００を含み、
　上記コンピュータシステム２００は、上記特別遊技態様の発生に関連して上記変動入賞装置５の第２状態への０．８秒の開成時間の回数を０．８秒×１又は２回から０．８秒×１又は２回よりも長い０．８秒×最高１８回に変更する遊技機」を構成とする発明が、
同じく甲第２号証には、
「遊技者にとって不利な第２の状態と遊技者にとって有利な第１の状態とに変化自在な可変入賞球装置４と、
　遊技領域３に設けられた第１の特定入賞領域６ａ，６ｂ、７への入賞球を検出する第１の特定入賞領域入賞玉検出手段１１，１２ａ，１２ｂと、
　上記第１の特定入賞領域入賞玉検出手段１１，１２ａ，１２ｂによる入賞球の検出を条件に、上記可変入賞球装置４の第１の状態への駆動制御を行う第１の駆動制御手段と、
　複数の表示状態に可変表示可能な可変表示装置１５と、
　遊技領域３に設けられた第２の特定入賞領域５ａ，５ｂへの入賞球を検出する第２の特定入賞領域入賞玉検出手段１００ａ，１００ｂと、
　上記可変入賞球装置４内の入賞空間１３に設けられた第３の特定入賞領域２０への入賞球を検出する第３の特定入賞領域入賞玉検出手段８と、
　上記第２の特定入賞領域入賞玉検出手段１００ａ，１００ｂによる入賞球の検出に基づき上記可変表示装置１５の可変表示が開始され、所定の可変表示停止条件に基づき停止表示した大当りの図柄の組合わせあるいは上記第３の特定入賞領域入賞玉検出手段８による入賞球の検出のいずれかに基づき、遊技者にとって相対的に遊技価値の大きい態様を発生させて上記可変入賞装置４を第１の状態に駆動制御する第２の駆動制御手段と、
　を備えた遊技機」を構成とする発明が、
同じく甲第３号証には、
「遊技者にとって不利な第１状態と遊技者にとって有利な第２状態とに変換可能な特別変動入賞装置５と、
　上記特別変動入賞装置５の第２状態への変換制御を行う制御装置２００と、
　複数の識別情報を可変表示可能な可変表示装置４と、
　遊技領域１ａに設けられた特定入賞口７，８への入賞球を検出するスタートスイッチＳＷ１と、
　上記スタートスイッチＳＷ１による入賞球の検出に基づき上記可変表示装置４の可変表示が開始され、所定の可変表示停止条件に基づき停止表示した特別識別情報に基づき、遊技者にとって通常遊技状態より有利な大当たりの特定態様又は中当たりの特定態様を発生する制御装置２００と、
　を備えた遊技機において、
　上記制御装置２００は、上記特別変動入賞装置５の第２状態への変換に係わる制御時間を変更する制御装置２００を含み、
　上記制御装置２００は、上記大当たりの特定態様又は中当たりの特定態様の発生に関連して上記特別変動入賞装置５の第２状態への制御時間を大当たりの特定態様が発生した場合には比較的長い所定時間に、中当たりの特定態様が発生した場合には比較的短い所定時間に変更する遊技機」を構成とする発明が、
それぞれ記載されているものと認められる。
（４）本件請求項１に係る発明と申立人が引用した各甲号証に記載された発明との対比及び判断
　そこで、本件請求項１に係る発明（前者）と申立人が引用した甲第１号証に記載された発明（後者）とを対比するに、
後者の
「特定入賞口１１，１２」、「特定入賞検出器１１ａ，１２ａ」、「特別遊技態様」、「発生」、「コンピュータシステム２００」、「特別遊技態様発生手段」、「０．８秒の開成時間の回数」、「０．８秒×１又は２回」及び「０．８秒×最高１８回」
がそれぞれの機能に照らし、それぞれ
前者の
「第１の特定の入賞口」、「第１入賞球検出手段」、「特別遊技状態」、「起生」、「変動入賞装置制御手段、制御時間変更手段」、「特別遊技状態起生手段」、「制御時間」、「通常の第１の所定時間」及び「第２の所定時間」
に相当するものと認められ、
又、
後者において、選択入賞検出器５６ａによる入賞球の検出に基づき上記可変表示装置５５の可変表示が開始されることからみて、
後者の
「選択入賞口５６」及び「選択入賞検出器５６ａ」
がそれぞれ
前者の
「第２の特定の入賞口」及び「第２入賞球検出手段」
に相当するものと認められるから、
両者は、
「遊技者にとって不利な第１状態と遊技者にとって有利な第２状態とに変換可能な変動入賞装置と、
　遊技領域に設けられた第１の特定の入賞口への入賞球を検出する第１入賞球検出手段と、
　上記第１入賞球検出手段による入賞球の検出によって、上記変動入賞装置の第２状態への変換制御を行う変動入賞装置制御手段と、
　複数の識別情報を可変表示可能な可変表示装置と、
　第２の特定の入賞口への入賞球を検出する第２入賞球検出手段と、
　上記第２入賞球検出手段による入賞球の検出に基づき上記可変表示装置の可変表示が開始され、所定の可変表示停止条件に基づき停止表示した特別識別情報に基づき、遊技者にとって通常遊技状態より有利な特別遊技状態を起生する特別遊技状態起生手段と、
　を備えた遊技機において、
　上記変動入賞装置制御手段は、上記変動入賞装置の第２状態への変換に係わる制御時間を変更する制御時間変更手段を含み、
　上記制御時間変更手段は、上記特別遊技状態の起生に関連して上記変動入賞装置の第２状態への制御時間を通常の第１の所定時間から通常の第１の所定時間よりも長い第２の所定時間に変更する遊技機」である
点において一致し、
前者においては、
変動入賞装置制御手段が、第１入賞球検出手段による入賞球の検出を条件に変動入賞装置の第２状態への変換制御を行う、すなわち、変動入賞装置が第２状態に変換制御されるのは、第１入賞球検出手段によって入賞球が検出されたときだけである、又、第２の特定の入賞口が、遊技領域に設けられている、
のに対し、
後者においては、
変動入賞装置制御手段が、第１入賞球検出手段による入賞球の検出を条件に、あるいは特別遊技状態の起生を条件に、変動入賞装置の第２状態への変換制御を行う、すなわち、変動入賞装置が第２状態に変換制御されるのは、第１入賞球検出手段によって入賞球が検出されたときと、特別遊技状態が起生されたときである、又、第２の特定の入賞口が、変動入賞装置内の入賞空間５２内に設けられている、
点において相違するものと認められる。
　そこで先ず、甲第２号証に記載された発明に前記相違点の前者の構成が備わっているか否かについてみるに、
甲第２号証に記載された発明の
「第２の状態」、「第１の状態」、「変化自在」、「可変入賞球装置４」、「第１の特定入賞領域６ａ，６ｂ、７」、「第１の特定入賞領域入賞玉検出手段１１，１２ａ，１２ｂ」、「駆動制御」、「第１の駆動制御手段」、「表示状態に」、「大当りの図柄の組合わせ」、「相対的に遊技価値の大きい態様」及び「発生」
がそれぞれの機能に照らし、それぞれ
前者の
「第１状態」、「第２状態」、「変換可能」、「変動入賞装置」、「第１の特定の入賞口」、「第１入賞球検出手段」、「変換制御」、「変動入賞装置制御手段」、「識別情報を」、「特別識別情報」、「通常遊技状態より有利な特別遊技状態」及び「起生」
に相当するものと認められ、
又、
甲第２号証に記載された発明において、第２の特定入賞領域入賞玉検出手段１００ａ，１００ｂによる入賞球の検出に基づき可変表示装置１５の可変表示が開始されることからみて、
甲第２号証に記載された発明の
「第２の特定入賞領域５ａ，５ｂ」及び「第２の特定入賞領域入賞玉検出手段１００ａ，１００ｂ」
がそれぞれ
前者の
「第２の特定の入賞口」及び「第２入賞球検出手段」
に相当するものと認められるから、
甲第２号証に記載された発明には、前記相違点の前者の構成の一部である「第２の特定の入賞口が遊技領域に設けられる」点は備わっているものと認められる。しかし、変動入賞装置が第２状態に変換制御されるのが何時か、という点に注目すると、それは、第１入賞球検出手段によって入賞球が検出されたときと、第２入賞球検出手段によって入賞球が検出されて可変表示装置の可変表示が開始され、所定の可変表示停止条件に基づき停止表示した特別識別情報に基づく特別遊技状態起生のとき、であるから、甲第２号証に記載された発明には、前記相違点の前者の構成の残部である「変動入賞装置が第２状態に変換制御されるのは、第１入賞球検出手段によって入賞球が検出されたときだけである」点は備わっていないものと認められる。
　次に、甲第３号証に記載された発明に前記相違点の前者の構成が備わっているか否かについてみるに、
甲第３号証に記載された発明の
「特別変動入賞装置５」、「制御装置２００」、「大当たりの特定態様又は中当たりの特定態様」及び「発生」
がそれぞれの機能に照らし、それぞれ
前者の
「変動入賞装置」、「変動入賞装置制御手段、特別遊技状態起生手段、制御時間変更手段」、「特別遊技状態」及び「起生」
に相当するものと認められ、
又、
甲第３号証に記載された発明において、スタートスイッチＳＷ１による入賞球の検出に基づき上記可変表示装置４の可変表示が開始されることからみて、
甲第３号証に記載された発明の
「特定入賞口７，８」及び「スタートスイッチＳＷ１」
がそれぞれ
前者の
「第２の特定の入賞口」及び「第２入賞球検出手段」
に相当するものと認められるから、
甲第２号証に記載された発明には、前記相違点の前者の構成の一部である「第２の特定の入賞口が遊技領域に設けられる」点は備わっているものと認められる。しかし、甲第３号証に記載された発明は、そもそも変動入賞装置を第２状態に変換するための第１の特定の入賞口及び第１入賞球検出手段を備えていないのであるから、甲第３号証に記載された発明には、前記相違点の前者の構成の残部である「変動入賞装置が第２状態に変換制御されるのは、第１入賞球検出手段によって入賞球が検出されたときだけである」点は、望むべくもないのである。
　しかも、本件請求項１に係る発明は、
「変動入賞装置が第２状態に変換制御されるのは、第１入賞球検出手段によって入賞球が検出されたときだけである」点により、
「遊技者に十分な興趣を与えることが可能となる」
という効果を奏するものと認められる。
　したがって、本件請求項１に係る発明が各申立人が引用した各甲号証に記載された発明に基いて当業者が容易に発明をすることができたものであるとはいえない。
（４）むすび
　以上のとおりであるから、本件請求項１に係る発明は、申立人が引用した前記各甲号証に記載された発明に基いて当業者が容易に発明をすることができたものであるということはできない。
　又、他に本件請求項１に係る特許を取り消すべき理由を発見しない。
　よって、結論のとおり決定する。
【異議決定日】
平成１２年５月３１日（２０００．５．３１）